【手続補正書】
【提出日】平成18年6月22日(2006.6.22)
【手続補正１】
【補正対象書類名】明細書
【補正対象項目名】特許請求の範囲
【補正方法】変更
【補正の内容】
【特許請求の範囲】
【特許請求の範囲】
【請求項１】
しきい電圧もしくはしきい電流が外部から電気的に制御可能な３端子転送素子多数個を、一次元的に配列し、
隣接する転送素子のしきい電圧もしくはしきい電流を制御する制御電極を、電圧もしくは電流の一方向性をもつ電気的手段にて互いに接続し、
電源電圧ラインを、前記転送素子の各制御電極に、各負荷抵抗器を介して接続し、
前記一次元的に配列された各転送素子の残りの２端子のうちの一方に、外部からｎ相（ｎは２以上の整数）のクロックパルスラインを、それぞれｎ素子毎に順繰りに接続し、
ある相のクロックパルスにより、ある転送素子がオンしているとき、その転送素子近傍の転送素子のしきい電圧もしくはしきい電流を、前記電気的手段を介して変化させ、
他の相のクロックパルスにより、前記ある転送素子に隣接する転送素子をオンさせ、
発光のためのしきい電圧もしくはしきい電流が外部から電気的に制御可能な３端子発光素子多数個を、一次元的に配列し、
前記転送素子の各制御電極を、前記発光素子の対応する制御電極に接続し、
前記各発光素子の残りの２端子の一方に、発光のための電流を印加するラインを接続した自己走査型発光素子アレイチップを複数個一次元的に配列した光書込みヘッドであって、
各チップには、共通のｎ相のクロックパルスラインが接続され、
各チップには、別個の電流印加ラインがそれぞれ接続されている、
ことを特徴とする光書込みヘッド。
【請求項２】
前記ｎ相のクロックパルスライン，電流印加ラインに挿入される抵抗器が、チップ内に内蔵されていることを特徴とする請求項１記載の光書込みヘッド。
【請求項３】
前記ｎ相のクロックパルスラインに挿入される抵抗器が、チップ内に内蔵されていることを特徴とする請求項１記載の光書込みヘッド。
【請求項４】
前記ｎ相のクロックパルスラインに、バッファＩＣが挿入されていることを特徴とする請求項３記載の光書込みヘッド。
【請求項５】
しきい電圧もしくはしきい電流が外部から電気的に制御可能な３端子転送素子多数個を、一次元的に配列し、
隣接する転送素子のしきい電圧もしくはしきい電流を制御する制御電極を、電圧もしくは電流の一方向性をもつ電気的手段にて互いに接続し、
電源電圧ラインを、前記転送素子の各制御電極に、各負荷抵抗器を介して接続し、
前記一次元的に配列された各転送素子の残りの２端子のうちの一方に、外部からｎ相（ｎは２以上の整数）のクロックパルスラインを、それぞれｎ素子毎に順繰りに接続し、
ある相のクロックパルスにより、ある転送素子がオンしているとき、その転送素子近傍の転送素子のしきい電圧もしくはしきい電流を、前記電気的手段を介して変化させ、
他の相のクロックパルスにより、前記ある転送素子に隣接する転送素子をオンさせ、
発光のためのしきい電圧もしくはしきい電流が外部から電気的に制御可能な３端子発光素子多数個を、一次元的に配列し、
前記転送素子の各制御電極を、前記発光素子の対応する制御電極に接続し、
前記各発光素子の残りの２端子の一方に、発光のための電流を印加するラインを接続した自己走査型発光素子アレイチップを複数個一次元的に配列した光書込みヘッドであって、
各チップには、共通のｎ相のクロックパルスラインが接続され、
各チップには、別個の２本の電流印加ラインがそれぞれ接続され、各チップでは、前記２本の電流印加ラインは、前記発光素子に１つおきに接続されていることを特徴とする光書込みヘッド。
【請求項６】
しきい電圧もしくはしきい電流が外部から電気的に制御可能な３端子転送素子多数個を、一次元的に配列し、
隣接する転送素子のしきい電圧もしくはしきい電流を制御する制御電極を、電圧もしくは電流の一方向性をもつ電気的手段にて互いに接続し、
電源電圧ラインを、前記転送素子の各制御電極に、各負荷抵抗器を介して接続し、
前記一次元的に配列された各転送素子の残りの２端子のうちの一方に、外部からｎ相（ｎは２以上の整数）のクロックパルスラインを、電流制限用抵抗器を介してそれぞれｎ素子毎に順繰りに接続し、
ある相のクロックパルスにより、ある転送素子がオンしているとき、その転送素子近傍の転送素子のしきい電圧もしくはしきい電流を、前記電気的手段を介して変化させ、
他の相のクロックパルスにより、前記ある転送素子に隣接する転送素子をオンさせ、
発光のためのしきい電圧もしくはしきい電流が外部から電気的に制御可能な３端子発光素子多数個を、一次元的に配列し、
前記転送素子の各制御電極を、前記発光素子の対応する制御電極に接続し、
前記各発光素子の残りの２端子の一方に、発光のための電流を印加するラインを電流制限用抵抗器を介して接続した自己走査型発光素子アレイチップを複数個一次元的に配列した光書込みヘッドであって、
各チップには、別個のスタートパルスラインがそれぞれ接続され、
各チップには、共通のｎ相のクロックパルスラインが接続され、
各チップには、共通の電流印加ラインが接続されている、
ことを特徴とする光書込みヘッド。
【請求項７】
しきい電圧もしくはしきい電流が外部から電気的に制御可能な３端子転送素子多数個を、一次元的に配列し、
隣接する転送素子のしきい電圧もしくはしきい電流を制御する制御電極を、電圧もしくは電流の一方向性をもつ電気的手段にて互いに接続し、
電源電圧ラインを、前記転送素子の各制御電極に、各負荷抵抗器を介して接続し、
前記一次元的に配列された各転送素子の残りの２端子のうちの一方に、外部からｎ相（ｎは２以上の整数）のクロックパルスラインを、それぞれｎ素子毎に順繰りに接続し、
ある相のクロックパルスにより、ある転送素子がオンしているとき、その転送素子近傍の転送素子のしきい電圧もしくはしきい電流を、前記電気的手段を介して変化させ、
他の相のクロックパルスにより、前記ある転送素子に隣接する転送素子をオンさせ、
発光のためのしきい電圧もしくはしきい電流が外部から電気的に制御可能な３端子発光素子多数個を、一次元的に配列し、
前記転送素子の各制御電極を、前記発光素子の対応する制御電極に接続し、
前記各発光素子の残りの２端子の一方に、発光のための電流を印加するラインを接続した自己走査型発光素子アレイチップを複数個一次元的に配列した光書込みヘッドであって、
各チップには、ｍ本（ｍは２以上の整数）のスタートパルスラインが順繰りに接続され、
各チップには、共通のｎ相のクロックパルスラインが接続され、
隣接するｍ個のチップ毎に、別個の電流印加ラインがそれぞれ接続され、
前記スタートパルスライン，クロックパルスライン，電流印加ラインに挿入される抵抗器が、チップ内に内蔵されていることを特徴とする光書込みヘッド。
【請求項８】
しきい電圧もしくはしきい電流が外部から電気的に制御可能な３端子転送素子多数個を、一次元的に配列し、
隣接する転送素子のしきい電圧もしくはしきい電流を制御する制御電極を、電圧もしくは電流の一方向性をもつ電気的手段にて互いに接続し、
電源電圧ラインを、前記転送素子の各制御電極に、各負荷抵抗器を介して接続し、
前記一次元的に配列された各転送素子の残りの２端子のうちの一方に、外部からｎ相（ｎは２以上の整数）のクロックパルスラインを、それぞれｎ素子毎に順繰りに接続し、
ある相のクロックパルスにより、ある転送素子がオンしているとき、その転送素子近傍の転送素子のしきい電圧もしくはしきい電流を、前記電気的手段を介して変化させ、
他の相のクロックパルスにより、前記ある転送素子に隣接する転送素子をオンさせ、
発光のためのしきい電圧もしくはしきい電流が外部から電気的に制御可能な３端子発光素子多数個を、一次元的に配列し、
前記転送素子の各制御電極を、前記発光素子の対応する制御電極に接続し、
前記各発光素子の残りの２端子の一方に、発光のための電流を印加するラインを接続した自己走査型発光素子アレイチップを複数個一次元的に配列した光書込みヘッドであって、
ｍ個（ｍは２以上の整数）のチップを１組として、これらチップのエンド端子を次段のチップのスタート端子と接続し、
各チップには、共通のスタートパルスラインが接続され、
各チップには、共通のｎ相のクロックパルスラインが接続され、
前記ｍ個のチップ毎に、別個の電流印加ラインがそれぞれ接続されている、
ことを特徴とする光書込みヘッド。
【請求項９】
しきい電圧もしくはしきい電流が外部から電気的に制御可能な３端子転送素子多数個を、一次元的に配列し、
隣接する転送素子のしきい電圧もしくはしきい電流を制御する制御電極を、電圧もしくは電流の一方向性をもつ電気的手段にて互いに接続し、
電源電圧ラインを、前記転送素子の各制御電極に、各負荷抵抗器を介して接続し、
前記一次元的に配列された各転送素子の残りの２端子のうちの一方に、外部からｎ相（ｎは２以上の整数）のクロックパルスラインを、電流制限用抵抗器を介してそれぞれｎ素子毎に接続し、
ある相のクロックパルスにより、ある転送素子がオンしているとき、その転送素子近傍の転送素子のしきい電圧もしくはしきい電流を、前記電気的手段を介して変化させ、
他の相のクロックパルスにより、前記ある転送素子に隣接する転送素子をオンさせ、
発光のためのしきい電圧もしくはしきい電流が外部から電気的に制御可能な３端子発光素子多数個を、一次元的に配列し、
前記転送素子の各制御電極を、前記発光素子の対応する制御電極に接続し、
前記各発光素子の残りの２端子の一方に、発光のための電流を印加するラインを電流制限用抵抗器を介して接続した自己走査型発光素子アレイチップを複数個一次元的に配列した光書込みヘッドであって、
隣接するｍ個毎（ｍは２以上の整数）のチップには、別個のスタートパルスラインが接続され、
前記隣接するｍ個のチップには、ある相のｍ本のクロックパルスラインが順繰りに接続され、
各チップには、共通の他の相のクロックパルスラインが接続され、
各チップには、共通の電流印加ラインがそれぞれ接続されている、
ことを特徴とする光書込みヘッド。
【請求項１０】
請求項１〜９のいずれかに記載の光書込みヘッドを備える光プリンタ。
【手続補正２】
【補正対象書類名】明細書
【補正対象項目名】００１１
【補正方法】変更
【補正の内容】
【００１１】
本発明の光書込みヘッドの第１の態様によれば、上記のような構成の１点点灯型の自己走査型発光素子アレイチップを複数個一次元的に配列し、各チップには、共通の２相のクロックパルスラインを接続し、各チップには、別個の電流印加ラインをそれぞれ接続している。
【手続補正３】
【補正対象書類名】明細書
【補正対象項目名】００１２
【補正方法】変更
【補正の内容】
【００１２】
また、本発明の光書込みヘッドの第２の態様によれば、第１の態様において、ｎ相のクロックパルスライン，電流印加ラインに挿入される抵抗器を、チップ内に内蔵させている。
【手続補正４】
【補正対象書類名】明細書
【補正対象項目名】００１５
【補正方法】変更
【補正の内容】
【００１５】
また、本発明の光書込みヘッドの第５の態様によれば、２点点灯型の自己走査型発光素子チップを用いる。この態様では、各チップには、共通のｎ相のクロックパルスラインを接続し、各チップには、別個の２本の電流印加ラインをそれぞれ接続し、各チップでは、前記２本の電流印加ラインを、発光素子に１つおきに接続している。